(57)【要約】【課題】  複数の磁気ブラシ帯電器を用いて帯電を行う画像形成装置において、磁気ブラシ帯電器に印加される交番電圧の干渉による画像不良を防止する。【解決手段】  複数の磁気ブラシ帯電器へ印加する交流電圧の位相を揃え干渉を防止する。【選択図】  図２
2005148457.tif 000002
【特許請求の範囲】
【請求項１】
被帯電体に接触可能に設けられ、被帯電体を帯電する複数の磁気ブラシ帯電部材を有し、この複数の磁気ブラシ帯電部材は、振動電圧が印加される帯電装置において、
前記複数の磁気ブラシ帯電部材は、共通の帯電容器内に設けられ、前記振動電圧の位相は、前記複数の磁気ブラシ帯電部材に対して揃えられていることを特徴とする帯電装置。
【請求項２】
前記複数の磁気ブラシ帯電部材に用いられる磁性粒子の体積抵抗率が１０６〜１０１０Ω・ｃｍであることを特徴とする請求項１の帯電装置。
【請求項３】
前記振動電圧の周波数は、前記複数の磁気ブラシ帯電部材に対して、同じ、もしくは片方が他方の整数倍、であることを特徴とする、請求項１又は２の帯電装置。
【請求項４】
前記複数の磁気ブラシ帯電部材に用いられる磁性粒子は、前記複数の磁気ブラシ帯電部材のうちの片方から他方へ供給されることを特徴とする請求項１乃至３のいずれかの帯電装置。
【請求項５】
前記振動電圧は、直流電圧と交流電圧との重畳電圧であることを特徴とする請求項１乃至４のいずれかの帯電装置。
【請求項６】
前記直流電圧は、前記複数の磁気ブラシ帯電部材のうち被帯電体上流側のものの方が被帯電体下流側のものよりも大きいことを特徴とする請求項５の帯電装置。
【請求項７】
前記振動電圧の振幅は、前記複数の磁気ブラシ帯電部材のうち被帯電体上流側のものの方が被帯電体下流側のものよりも大きいことを特徴とする請求項１乃至６のいずれかの帯電装置。
【請求項８】
像担持体と、この像担持体を帯電する請求項１乃至７のいずれかの帯電装置と、この帯電装置を用いて前記像担持体に形成された静電像をトナーで現像して前記像担持体にトナー像を形成する現像手段と、前記トナー像を前記像担持体から被転写体へ転写する転写手段と、を有することを特徴とする画像形成装置。
【請求項９】
前記像担持体は、アモルファスシリコンを含む感光体であることを特徴とする請求項８の画像形成装置。
【発明の詳細な説明】
【技術分野】
【０００１】
本発明は、被帯電体に接触可能に設けられ、被帯電体を帯電する複数の磁気ブラシ帯電部材を有する帯電装置に関するものである。又は、この帯電装置を有する複写機、プリンター、ＦＡＸなどの電子写真方式或いは静電記録方式を用いた画像形成装置に関するものである。
【背景技術】
【０００２】
従来、電子写真方式や静電記録方式を用いた画像形成装置は、数多く考案されているが図４を用いて概略構成ならびに動作について簡単に説明する。
【０００３】
図４に示した画像形成装置において、コピー開始信号が入力されると感光体ドラム１がコロナ帯電器３により所定の電位になるように帯電される。一方、原稿台１０上におかれた原稿Ｇに対し原稿照射用ランプ、短焦点レンズアレイ、ＣＣＤセンサーが一体のユニット９となって原稿を照射しながら走査することにより、その照明走査光の原稿面反射光が、短焦点レンズアレイによって結像されてＣＣＤセンサーに入射される。ＣＣＤセンサーは受光部、転送部、出力部より構成されている。ＣＣＤ受光部において光信号が電荷信号に変えられ、転送部でクロックパルスに同期して順次出力部へ転送され、出力部において電荷信号を電圧信号に変換し、増幅、低インピーダンス化して出力する。得られたアナログ信号は周知の画像処理を行なってデジタル信号に変換してプリンター部に送られる。プリンター部においては、上記の画像信号を受けてＯＮ、ＯＦＦ発光されるＬＥＤ露光手段２により感光ドラム１面上に、原稿画像に対応した静電潜像を形成する。
【０００４】
次にこの静電潜像をトナー粒子を収容した現像器４にて現像し、感光ドラム１上にトナー像を得る。
【０００５】
このようにして、感光ドラム１上に形成されたトナー像は、転写装置７によって転写材上に静電転写される。その後転写材は、静電分離されて定着器６へと搬送され、熱定着されて画像が出力される。
【０００６】
一方、トナー像転写後の感光ドラム１の面は、クリーナー５によって転写残りトナー等の付着汚染物の除去、必要に応じて像露光の光メモリを除去する前露光手段８による露光を受けて繰り返し画像形成に使用される。
【０００７】
上記のようにして画像形成される、電子写真画像形成装置に用いられる、感光体としては、有機感光体やアモルファスシリコン系感光体（以下、「ａ−Ｓｉ系感光体」と称する。）等がよく用いられているが、前記、ａ−Ｓｉ系感光体は、表面硬度が高く、半導体レーザなどに高い感度を示し、しかも繰返し使用による劣化もほとんど認められないことから、高速複写機やレーザービームプリンタ（ＬＢＰ）などの電子写真用感光体として用いられている。
【０００８】
前記のａ−Ｓｉ系感光体を帯電する方法としては、コロナ放電を用いたコロナ帯電方式、導電性ローラを用い直接放電で帯電を行うローラ帯電方式、磁性粒子等により接触面積を充分に取り電荷を感光体表面に直接注入することにより帯電を行う注入帯電方式などがある。
【０００９】
この中で、コロナ帯電方式やローラ帯電方式は放電を用いるため放電生成物が表面に付着しやすく、またａ−Ｓｉ系感光体は表面高度が非常に高く磨耗しにくいため放電生成物が表面に残存しやすく、高湿環境下等で水分の吸着等による静電潜像が形成された感光体表面上の電荷の面方向へ移動に伴う画像流れ現象が発生しやすい。
【００１０】
これに対して、前記注入帯電方式は放電を積極的に用いることはせずに感光体表面に接触した部分から直接電荷を注入する帯電方式であるため前記の画像流れといった現象は発生しにくい。
【００１１】
上記のａ−Ｓｉ系感光体はその製造方法が、ガスを高周波やマイクロ波でプラズマ化して固体化し、アルミシリンダー上に堆積させて成膜するため、プラズマが均一でないと周方向や長手方向に膜厚ムラや組成ムラができてしまう。これにより、従来から現像部において、数１０Ｖ程度の電位ムラが発生してしまっていた。これは、膜厚ムラにより静電容量の違いができ帯電能の差が生じるの現象とともに、前周の光メモリーを消すために用いる前露光による帯電−現像間での暗状態での電位減衰（以降、暗減衰と呼ぶ）が、膜厚や組成の違いによって差が生じ現像部における電位ムラをより増大させることにより発生する。
【００１２】
前述の暗減衰は、ａ−Ｓｉ系感光体を用いた場合、有機感光体に比べ暗状態でも非常に大きく、更に像露光の光メモリーによる電位減衰が増大するため、前周の光メモリーを消すための帯電前の前露光手段が必要となる。このため、帯電−現像間での暗減衰は非常に大きくなり、１００〜２００Ｖ程度の電位減衰が生じる。このとき前述の膜厚ムラ、組成ムラにより、数１０Ｖの電位ムラが発生してしまっていた。
【００１３】
このような電位ムラが生じると、静電容量の大きなａ−Ｓｉ系感光体は有機感光体に比べてコントラストも小さいため影響をより受けてしまい、濃度ムラも顕著になってしまう。
【００１４】
このような問題点に対して、例えば複数回帯電を行うという方法が有効である。前述の光メモリーによる暗減衰の増大は複数帯電を行うことにより、第１の帯電で光メモリーを大幅に軽減できるため、第２の帯電を行った後には暗減衰を少なくすることが可能となる。これに伴い、電位ゴーストや電位ムラが大幅に良化された。例えば、複数回帯電を行うものとして、特許文献１が知られている。
【特許文献１】特開２００３−１７３０７０号公報
【発明の開示】
【発明が解決しようとする課題】
【００１５】
ここで複数回の帯電を行う際に注入帯電方式を用いると帯電能が高く、電位収束性が高いため、電位ゴーストや電位ムラについて大きく改善される。また注入帯電方式は前記のように放電をほとんど用いないため、画像流れも発生しにくい。注入帯電器としては例えば磁性粒子を用いた磁気ブラシ帯電器が有効である。磁気ブラシ帯電器は磁性粒子の接触点によって帯電を行うため、帯電を行うための表面積が広く汚染に強い利点がある。このため長期にわたる耐久を行っても帯電性能を維持することが可能である。
【００１６】
磁気ブラシ帯電器を用いて複数回帯電する場合、磁気ブラシ帯電器を複数手段設ける方法もあるが、省スペースのための一つの方法として、複数の磁性粒子担持体を一つの磁気ブラシ帯電器の帯電容器内に設け、感光体とのニップを複数設けることにより帯電を行う図２のような帯電装置を用いることができる。図２のように複数の磁気ブラシ帯電部材を備える磁気ブラシ帯電器においては、磁性粒子が磁性粒子担持体の回転駆動及び内部のマグネットによる磁気力によって、磁性粒子担持体の間を循環搬送され感光体との帯電ニップ間を磁性粒子が通過する際に、各々の磁性粒子担持体に印加された帯電バイアスによって感光体へ電荷注入が施され帯電状態が形成される。
【００１７】
このとき、磁性粒子担持体に印加される電圧は、直流電圧のみでも帯電可能であるが、帯電性能を高め長期にわたり均一な帯電を得るためには交流電圧を直流電圧に重畳させる振動電圧とすることが望ましい。
【００１８】
しかし、帯電に用いる磁性粒子は抵抗が低いため、上記のように交流電圧を重畳した場合、複数の磁性粒子担持体が近接していることにより、磁性粒子を介して交流電圧の干渉が生じ帯電にムラが生じてしまう場合がある。
【００１９】
本発明の目的は、複数の磁気ブラシ帯電部材を用いて被帯電体を均一に帯電することができる帯電装置及び画像形成装置を提供することである。
【００２０】
本発明の他の目的は、複数の磁気ブラシ帯電部材に振動電圧を印加する場合、振動電圧どうしの干渉を防止した帯電装置及び画像形成装置を提供することである。
【課題を解決するための手段】
【００２１】
本発明は、被帯電体に接触可能に設けられ、被帯電体を帯電する複数の磁気ブラシ帯電部材を有し、この複数の磁気ブラシ帯電部材は、振動電圧が印加される帯電装置において、前記複数の磁気ブラシ帯電部材は、共通の帯電容器内に設けられ、前記振動電圧の位相は、前記複数の磁気ブラシ帯電部材に対して揃えられていることを特徴とする帯電装置及び画像形成装置である。
【発明の効果】
【００２２】
本発明においては、複数の磁気ブラシ帯電部材に印加される振動電圧の位相を合わせることにより、振動電圧間の干渉を防止することができる。
【００２３】
具体的には、周波数、振幅ともに同じ振動電圧を位相を合わせて用いたり、同じ周波数で振幅の違う振動電圧の位相を合わせたり、整数倍比の周波数の違う振動電圧をそれぞれの磁気ブラシ帯電部材に印加し、その位相を揃えることにより、振動電圧間の干渉をほとんど防止することができ、均一な帯電を行うことが可能となる。
【００２４】
例えば１．５ＫＨｚと２ＫＨｚと言ったような整数倍の周波数でない場合においても、上述したように、位相を合わせることにより振動電圧間の若干の干渉が生じる場合はあるが、位相を合わせない場合と比較すると干渉を最小に抑えることが可能となる。
【発明を実施するための最良の形態】
【００２５】
以下に本発明の帯電装置及び画像形成装置を図面に基づいて説明する。本実施例においては、被帯電体としてポジ帯電のアモルファスシリコン感光体を複数の（２つの）磁気ブラシ帯電部材（磁気ブラシ帯電器）により帯電する場合について述べる。
【実施例１】
【００２６】
ここで、図５は、本実施例において用いた被帯電体としてのポジ帯電性のａ−Ｓｉ系感光体の構造を示す模式的な断面図である。
【００２７】
図５に示すａ−Ｓｉ系感光体は、Ａｌなどからなる導電性支持体２０１と、導電性支持体２０１の表面上に順次堆積された感光層２０５（電荷注入阻止層２０２および光導電性を示す光導電層２０３）と表面層２０４とからなる。ここで、電荷注入阻止層２０２は導電性支持体２０１から光導電層２０３への電荷の注入を阻止するためのものであり、必要に応じて設けられる。また、光導電層２０３は少なくともシリコン原子を含む非晶質材料で構成され、光導電性を示すものである。さらに、表面層２０４はシリコン原子と炭素原子（さらに、必要により水素原子あるいはハロゲン原子またはその両方の原子）を含み、電子写真装置における潜像を保持する能力をもつものである。
【００２８】
前述のようにａ−Ｓｉ系感光体を用いた場合、膜厚ムラや組成ムラに起因される暗減衰差による帯電電位ムラが生じやすいため、本実施例においては２つの磁気ブラシ帯電器によって帯電を行っている。このように磁気ブラシ帯電器によって２回帯電を行うことにより、第１の帯電で光メモリーを大幅に軽減できるため、第２の帯電を行った後には暗減衰を少なくすることが可能となる。これに伴い、電位ゴーストや電位ムラが大幅に良化された。
【００２９】
図２中３０、３１は本実施例において用いた複数の磁気ブラシ帯電部材としての、磁気ブラシ方式の注入帯電器である。本実施例においては磁気ブラシ帯電器は感光体回転方向に対し２つの磁性粒子を担持したマグネットを内包した磁性粒子担持体である帯電スリーブ３０３，３０６を有している。複数の磁気ブラシ帯電部材は、共通の帯電容器内に設けられる。
【００３０】
帯電スリーブ３０３，３０６は、内部に固定マグネット３０２、３０５が設けられ、回転自在の非磁性の帯電スリーブ３０３上に、磁性粒子規制手段３０１によって規制された磁性粒子３０４が磁界によってブラシ状に形成されて、帯電スリーブ３０３の回転にともない磁性粒子３０４が搬送される。
【００３１】
このとき、最近接距離が１ｍｍとなるように配置された帯電スリーブ３０３，３０６間を磁性粒子が磁気力によって受け渡されて図２に示すように搬送される。即ち、複数の磁気ブラシ帯電部材のうち、片方から他方へ磁気ブラシの磁性粒子が供給される。また、上記帯電スリーブ３０３，３０６は、感光ドラム１との接触部において、感光ドラム１に対してカウンター方向に回転しており、感光ドラム１の回転速度３００ｍｍ／ｓｅｃに対し帯電スリーブ３０３，３０６はともに３６０ｍｍ／ｓｅｃで回転している。このとき、帯電スリーブ３０３、３０６と感光体１は約３５０μｍの間隙に設定されており、上記帯電スリーブ３０３，３０６に、帯電電圧を印加することにより、帯電用磁性粒子３０４から電荷が感光ドラム１上に与えられ、帯電電圧に対応した電位に近い値に帯電される。
【００３２】
磁気ブラシ帯電器３０、３１において、帯電スリーブ３０３，３０６上にコートされる磁性粒子量は約６０ｍｇ／ｃｍ２に調整されている。また、磁性粒子としては、粒径が平均粒径が１０〜１００μｍ、飽和磁化が２０〜２５０ｅｍｕ／ｃｍ３、体積抵抗率が１０６〜１０１０Ω・ｃｍのものを用いることが好ましい。
【００３３】
帯電性能を良くするにはできるだけ抵抗の小さいものを用いる方がよいので、本実施例においては、平均粒径２５μｍ、飽和磁化２００ｅｍｕ／ｃｍ３、体積抵抗率が５×１０６Ω・ｃｍの磁性粒子を用いた。また本実施例において用いた磁性粒子は、フェライト表面を酸化、還元処理して抵抗調整を行ったものを用いている。
【００３４】
ここで、帯電用磁性粒子の抵抗値は、底面積が２２８ｍｍ２の金属セルに帯電用磁性粒子を２ｇ入れた後、６．６Ｋｇ／ｃｍ２で加重し、１００Ｖの電圧を印加して測定している。
【００３５】
本実施例において磁気ブラシ帯電器に対して印加したバイアス電圧は、第１の帯電スリーブ３０６には５５０Ｖの直流電圧に対して周波数１ＫＨｚ、振幅３００Ｖの矩形の交流（交番）電圧を重畳した振動電圧を、第２の帯電スリーブ３０３には５００Ｖの直流電圧に対して周波数１ＫＨｚ、振幅３００Ｖの矩形の交流（交番）電圧を重畳した振動電圧を印加している。このように感光ドラム１の移動方向において、上流側の磁気ブラシ帯電部材に対して、下流側の磁気ブラシ帯電部材よりも大きい直流電圧を印加して帯電工程を行う。
【００３６】
すると、第１の帯電スリーブ３０６により５５０Ｖ近傍まで帯電された後に、ａ−Ｓｉ感光体の場合には暗減衰による電位減衰が生じ、第２の帯電スリーブ３０３の帯電直前においては５００Ｖ弱に減衰している。引き続き第２の帯電スリーブ３０３で帯電を行うと、第１の帯電スリーブ３０６によって５００Ｖ弱に帯電が施されているため、帯電ニップ内においては印加電圧に収束させるための帯電時間が充分取れるため、電位ムラのない均一な帯電状態が実現できる。また、第１の帯電スリーブ３０６において帯電した後に暗減衰を起こしているため、光キャリアを大幅に減らすことができ、第２の帯電後の暗減衰を大幅に軽減することが可能になる。このため、暗減衰の差によって生じる電位ムラや帯電不良による電位ムラ等について大幅に改善することができる。
【００３７】
このときの第１の帯電スリーブ３０６および第２の帯電スリーブ３０３に対する電圧の印加方法としては、互いの振動電圧の位相を揃えて、即ち重畳する交流電圧の位相を合わせて帯電を行っている。具体的には本実施例においては同様の交流電圧を用いているため、同じ交流電圧電源を用いている。
【００３８】
前述のように磁気ブラシ帯電器において用いる磁性粒子３０４は帯電性を高めるために低抵抗の磁性粒子を用いるために、本実施例のように帯電スリーブ３０３、３０６が近接配置されている場合には、交流電圧の位相を揃えて帯電を行わない場合、交流電圧の干渉が生じて帯電状態が感光体回転方向に対してムラがある状態になり画像不良を引き起こす原因となる。
【００３９】
そこで、本実施例のように交流電圧の位相を揃えた場合と１／４周期位相をずらした場合において、画像濃度０．４のハーフトーンの画像において比較したところ、第１の帯電スリーブ３０６と第２の帯電スリーブ３０３の交流電圧の位相を揃えた場合の置いては均一なハーフトーンを出力することができたが、１／４周期位相をずらした場合においては感光体の移動方向に対する帯電ムラの影響で交番電圧の干渉による濃度ムラが生じてしまった。
【００４０】
このことから、本実施例のように複数の帯電スリーブを有する磁気ブラシ帯電器において、帯電スリーブが近接配置されている場合には、帯電バイアスが直流電圧に交流電圧を重畳する際には交流電圧の位相を揃えてやることが有効であり良好な画像出力を行うために必要であることがわかった。
【実施例２】
【００４１】
実施例１においては、第１の磁性粒子担持体である帯電スリーブ３０６と、第２の磁性粒子担持体である帯電スリーブ３０３と、に印加される電圧に対して重畳する交流電圧として周波数、振幅ともに同じものを用いたが、本発明は同じ交流電圧に限られるものではない。
【００４２】
そこで、本実施例においては、第１の帯電スリーブ３０６と第２の帯電スリーブ３０３に重畳する交流電圧の振幅を変えて評価を行った。周波数はともに１ＫＨｚで、第１の帯電スリーブ３０６の振幅が３００Ｖ、第２の帯電スリーブ３０３の振幅が６００Ｖの場合と、第１の帯電スリーブ３０６の振幅が６００Ｖ、第２の帯電スリーブ３０３の振幅が３００Ｖの場合について、実施例１と同様に交流電圧の位相を揃えた場合と１／４周期位相をずらした場合において、画像濃度０．４のハーフトーンの画像において比較した。この結果、実施例１と同様に、第１の帯電スリーブ３０６と第２の帯電スリーブ３０３の交流電圧の位相を揃えた場合においては均一なハーフトーンを出力することができたが、１／４周期位相をずらした場合においては感光体の移動方向に対する帯電ムラの影響で交流電圧の干渉による濃度ムラが生じてしまった。
【００４３】
この干渉による濃度ムラは、どちらの振幅が大きい場合でも見られたが、比較すると第１の帯電スリーブ３０６の振幅が大きく、第２の帯電スリーブ３０３の振幅が小さい場合において、交流電圧の位相がずれている場合において濃度ムラがより顕著であることがわかった。これは、第２の帯電スリーブ３０３において最終的な帯電状態が決められるために、振幅が小さいバイアスに対する振幅の大きいバイアスの干渉の方が、振幅の大きいバイアスに対する振幅の小さいバイアスの干渉よりも影響が大きいことから生じている。
【００４４】
ただ、前述のように第１の帯電スリーブ３０６と第２の帯電スリーブ３０３のどちらの振幅が大きい場合においても、交流電圧の位相を揃えた場合には干渉を防止することができ良好な画像を得ることができるようになった。
【実施例３】
【００４５】
実施例１、２においては、第１の帯電スリーブ３０６と第２の帯電スリーブ３０３に印加される直流電圧に対して重畳する交流電圧として同じ周波数を用いたが、本実施例においては周波数を変化させて交流電圧の干渉を調べた。図３は、振幅は３００Ｖに固定して、第１及び第２の帯電スリーブ３０６、３０３に印加する交番電圧の周波数を０．５、１、１．５、２、４、５ＫＨｚに変えた場合について干渉による濃度ムラの出方について表している。
【００４６】
ここで、◎は特に良好、○は良好、△は若干ムラがある場合である。このとき、図３に示しているのは位相を揃えた場合であり、周波数が例えば２ＫＨｚと４ＫＨｚといったように整数倍の場合には特に良好であるが、１．５ＫＨｚと４ＫＨｚといったような場合には位相を合わせても若干の干渉によるムラは生じてしまった。
【００４７】
しかし、上記のように周波数が１．５ＫＨｚと４ＫＨｚといったような整数倍の関係を満たしていない場合においても、位相を合わせない場合よりも位相を合わせた場合の方が明らかに干渉による電位ムラは減少しており効果は得られている。位相を合わせない場合は、よりはっきりとムラが認識できるレベルであった。
【００４８】
このことから、第１の帯電スリーブ３０６と第２の帯電スリーブ３０３へ印加される交流電圧の周波数が違う場合においても、交流電圧の位相を揃えた場合には干渉を改善することができ良好な画像を得ることができるようになった。
【００４９】
実施例１，２，３においては交流電圧として、矩形の交流電圧を用いたが、交流電圧の波形はこれに限られるものではなく、例えば、三角波、ＳＩＮ波、のこぎり波等さまざまな波形においても有効である。好ましくは各帯電部材に対して同等の波形を用いることが好ましいが、第１の帯電部材と第２の帯電部材で違う波形の交流電圧を用いた場合においても、位相を揃えることは効果がある事を確認している。
【００５０】
帯電部材の構成についても、実施例１，２、３においては２つの帯電部材を設けた例について述べたが、３つ以上設けた場合においてももちろん適応可能である。その場合にはすべての帯電部材について交流電圧の位相を揃えてやることにより、良好な画像を得ることが可能となる。
【００５１】
なお、第１の帯電部材と第２の帯電部材の対向部において、マグネット３０５における隣接する磁極どうしは互いに同極（Ｎ極）であり、また、マグネット３０２における隣接する磁極どうしも互いに同極（Ｓ極）であるが、この構成は、帯電スリーブ３０６と帯電スリーブ３０３との間に磁性粒子が進入しづらくなり、両スリーブ間での磁性粒子の受け渡しも行いやすくなるので、好ましい。また、両スリーブの対向部において、マグネット３０５の磁極（Ｎ極）と、マグネット３０２の磁極（Ｓ極）は、互いに逆極であるが、この構成についても、両スリーブ間での磁性粒子の受け渡しも行いやすくなるので、好ましい。
【図面の簡単な説明】
【００５２】
【図１】本発明の実施例において用いた画像形成装置の模式図。
【図２】本発明の実施例において用いた磁気ブラシ帯電器の模式図。
【図３】本発明の実施例３における周波数とムラの関係を表す表。
【図４】従来例において用いた画像形成装置の模式図。
【図５】アモルファスシリコン感光体の層構成の一例。
【符号の説明】
【００５３】
１  感光ドラム
２  ＬＥＤ露光手段
３  コロナ帯電器
３０、３１  磁気ブラシ帯電器
４  現像装置
５  クリーナー
６  定着器
７  転写装置
８  前露光ランプ
９  スキャナユニット
１０  原稿台
【図１】
2005148457.tif 000003
【図２】
2005148457.tif 000004
【図３】
2005148457.tif 000005
【図４】
2005148457.tif 000006
【図５】
2005148457.tif 000007